(57)【要約】    【課題】  複製制御信号の検出を行わない映像信号再生装置により再生された映像信号が、他の映像信号記録装置により正常に記録できないような処理を施して、映像信号を記録する映像信号記録装置を提供する。    【解決手段】  ＣＧＭＳ検出回路５ａにおいて検出されるＣＧＭＳ信号が、１回だけのコピーを許可するものであるとき、マクロビジョン信号付加回路７は、マクロビジョン信号を輝度信号Ｙに挿入する。ＡＧＣ回路９は、ＡＧＣ・マクロビジョン信号検出回路１でマクロビジョン信号が検出されないときは、２μｓより幅の狭い同期信号に対して、キードＡＧＣが作用しないように切り換えられる。したがって、マクロビジョン信号付加回路７により挿入されたマクロビジョン信号による信号レベル圧縮がなされることなく、そのまま磁気テープに記録される。【選択図】  図１
2005236467.tif 000002
【特許請求の範囲】
【請求項１】
複製に関する制御情報を含む複製制御信号が挿入された映像信号を記録媒体に記録する映像信号記録装置において、
前記映像信号の垂直帰線消去期間に挿入される複製制御信号を検出する複製制御信号検出手段と、
該複製制御信号検出手段により検出された複製制御信号が、１回だけの複製を許可するものであるときに、自動利得制御回路の動作特性を利用して複製を防止するための複製防止信号を前記映像信号の垂直帰線消去期間に挿入する複製防止信号挿入手段と、
該複製防止信号挿入手段の後段に設けられた自動利得制御手段と、
該自動利得制御手段の出力信号に所定の処理を施して、前記記録媒体に記録する記録手段とを備え、
前記自動利得制御手段は、前記複製防止信号挿入手段により挿入された複製防止信号の影響を受けることなく、利得制御を行うことを特徴とする映像信号記録装置。
【請求項２】
複製に関する制御情報を含む複製制御信号が挿入された映像信号を記録媒体に記録する映像信号記録装置において、
前記映像信号の垂直帰線消去期間に挿入される複製制御信号を検出する複製制御信号検出手段と、
該複製制御信号検出手段により検出された複製制御信号が、１回だけの複製を許可するものであるときに、自動利得制御回路の動作特性を利用して複製を防止するための複製防止信号を、前記映像信号の垂直帰線消去期間に挿入するための複製防止信号挿入制御信号を生成する制御信号生成手段と、
該複製制御信号検出手段の後段に設けられた自動利得制御手段と、
該自動利得制御手段の後段に設けられ、前記複製防止信号挿入制御信号に応じて前記複製防止信号を前記映像信号の垂直帰線消去期間に挿入する複製防止信号挿入手段と、
該複製防止信号挿入手段の出力信号に所定の処理を施して、前記記録媒体に記録する記録手段とを備えることを特徴とする映像信号記録装置。
【発明の詳細な説明】
【技術分野】
【０００１】
本発明は、複製に関する制御情報を含む複製制御信号が挿入された映像信号を記録媒体に記録する映像信号記録装置に関する。
【背景技術】
【０００２】
磁気テープやビデオディスクに記録される映像信号には、複製を禁止したり、あるいは１回だけの複製を許可したりするために、ＣＧＭＳ（Copy Generation Management System）という規格に準拠した複製制御信号（以下「ＣＧＭＳ信号」という）が挿入することが行われている。例えば特許文献１には、映像信号に、ＣＧＭＳに準拠した複製制御信号を挿入すること、あるいはマクロビジョン信号という複製防止信号を挿入することが示されている。
【０００３】
図４は、従来のＶＴＲ（Video Tape Recorder）の記録系の要部の構成を示す図である。チューナの出力映像信号及びライン入力端子から入力される映像信号が、スイッチ３０に供給され、スイッチ３０により選択された映像信号が、自動利得制御（ＡＧＣ：Automatic Gain Control）回路２１に入力される。ＡＧＣ回路２１の出力信号は、同期信号分離回路２、同期信号分離回路４及びＹ／Ｃ分離回路３に入力される。同期信号分離回路２は、入力される映像信号から同期信号を分離し、ＡＧＣ回路２１に供給する。ＡＧＣ回路２１は、入力される同期信号のレベルが所定のレベルとなるように、利得の制御を行う。
【０００４】
同期信号分離回路４は、入力される映像信号から同期信号を分離し、ＣＧＭＳ検出回路５及びＣＧＭＳ付け替え回路６に供給する。Ｙ／Ｃ分離回路３は、映像信号に含まれる輝度信号と色信号とを分離し、輝度信号ＹをＣＧＭＳ検出回路６に入力する。ＣＧＭＳ検出回路５は、映像信号の垂直帰線消去期間内に挿入されるＣＧＭＳ信号を検出し、その検出結果及び輝度信号ＹをＣＧＭＳ付け替え回路６に入力する。ＣＧＭＳ付け替え回路６は、ＣＧＭＳ信号が１回のみコピー可能であることを示すときは、ＣＧＭＳ信号をコピー禁止に変更する。
【０００５】
変更されたＣＧＭＳ信号を含む輝度信号Ｙは、ローパスフィルタ８を介して、ＡＧＣ回路１４及び同期信号分離回路１２に入力される。同期信号分離回路１２は、入力される輝度信号Ｙから同期信号を分離し、ＡＧＣ回路１４に供給する。ＡＧＣ回路１４は、同期信号分離回路１２から入力される同期信号のレベルに応じて、利得制御を行う。ＡＧＣ回路１４の出力信号は、エンファシス回路１０において高周波成分が強調され、ＦＭ変調回路１１に入力される。ＦＭ変調回路１１では、搬送波が入力される輝度信号Ｙにより周波数変調される。ＦＭ変調回路１１の出力信号は、記録増幅回路及び磁気ヘッドを介して、磁気テープに記録される。
【０００６】
図４において破線で囲んで示す回路ブロック４０は、デジタル回路で構成されることが多いため、アナログ信号として出力される信号のレベルがばらつく。そのため、ＡＧＣ回路１４により、輝度信号レベルを制御して、ＦＭ変調回路１１における変調周波数偏移を一定とするようにしてる。ＡＧＣ回路１４は、いわゆるキードＡＧＣ回路であり、入力される同期信号のレベルに応じた利得制御を行う。
【０００７】
図５は、図４に示す記録系を有するＶＴＲの再生系の要部の構成を示すブロック図である。磁気テープから再生された再生信号は、ＦＭ復調回路１６で復調され、デエンファシス回路１７で記録時のエンファシスと逆に高周波成分を減衰させる処理が行われる。デエンファシス回路１７の出力信号は、再生ローパスフィルタ１８を介して、ノイズ低減回路１９及び同期信号分離回路４に入力される。ノイズ低減回路１９は、再生映像信号のノイズ（微少高周波成分）を低減させる処理を行い、処理後の信号を、ＣＧＭＳ検出回路５に入力する。同期信号分離回路４は、同期信号を分離し、ＣＧＭＳ検出回路５及びマクロビジョン信号付加回路７に供給する。マクロビジョン信号付加回路７は、ＣＧＭＳ検出回路５において検出されたＣＧＭＳ信号がコピー禁止であることを示すときは、再生映像信号にマクロビジョン信号を付加して出力する。マクロビジョン信号付加回路７の出力信号は、同期信号分離回路１２及びＡＧＣ回路９に入力される。ＡＧＣ回路９は、同期信号分離回路１２から入力される同期信号のレベルに応じて、出力される同期信号のレベルが一定となるように利得を制御する。ＡＧＣ回路９の出力信号は、ビデオアンプ回路２０を介して出力される。
【０００８】
このようにして、１回のみコピーを許可するＣＧＭＳ信号が挿入された映像信号は、再生時にマクロビジョン信号が挿入されるので、以後はコピーができなくなる。
【０００９】
【特許文献１】特開平１０−２２４８１８号公報
【発明の開示】
【発明が解決しようとする課題】
【００１０】
しかしながら、図６に示すように、再生系にＣＧＭＳ検出回路やマクロビジョン信号付加回路を備えていないＶＴＲにおいて、１回のみコピーが許可された映像信号が再生された場合には、当然のことながら、マクロビジョン信号の付加は行われない。そのようにして再生された映像信号が、ＣＧＭＳ検出回路及びその検出結果に応じたコピー防止を行う機能のないＶＴＲの記録系に入力されると、通常の記録動作が行われて、１度磁気テープに記録された映像信号が、そのまま再度磁気テープに記録される、すなわち２回目のコピーが正常に行われてしまうという事態を招く。
【００１１】
本発明はこの点に着目してなされたものであり、ＣＧＭＳ信号のような複製制御信号の検出を行わない映像信号再生装置により再生された映像信号が、他の映像信号記録装置により正常に記録できないような処理を施して、映像信号を記録することができる映像信号記録装置を提供することを目的とする。
【課題を解決するための手段】
【００１２】
上記目的を達成するため請求項１に記載の発明は、複製に関する制御情報を含む複製制御信号が挿入された映像信号を記録媒体に記録する映像信号記録装置において、前記映像信号の垂直帰線消去期間に挿入される複製制御信号を検出する複製制御信号検出手段と、該複製制御信号検出手段により検出された複製制御信号が、１回だけの複製を許可するものであるときに、自動利得制御回路の動作特性を利用して複製を防止するための複製防止信号を前記映像信号の垂直帰線消去期間に挿入する複製防止信号挿入手段と、該複製防止信号挿入手段の後段に設けられた自動利得制御手段と、該自動利得制御手段の出力信号に所定の処理を施して、前記記録媒体に記録する記録手段とを備え、前記自動利得制御手段は、前記複製防止信号挿入手段により挿入された複製防止信号の影響を受けることなく、利得制御を行うことを特徴とする。
【００１３】
請求項２に記載の発明は、複製に関する制御情報を含む複製制御信号が挿入された映像信号を記録媒体に記録する映像信号記録装置において、前記映像信号の垂直帰線消去期間に挿入される複製制御信号を検出する複製制御信号検出手段と、該複製制御信号検出手段により検出された複製制御信号が、１回だけの複製を許可するものであるときに、自動利得制御回路の動作特性を利用して複製を防止するための複製防止信号を、前記映像信号の垂直帰線消去期間に挿入するための複製防止信号挿入制御信号を生成する制御信号生成手段と、該複製制御信号検出手段の後段に設けられた自動利得制御手段と、該自動利得制御手段の後段に設けられ、前記複製防止信号挿入制御信号に応じて前記複製防止信号を前記映像信号の垂直帰線消去期間に挿入する複製防止信号挿入手段と、該複製防止信号挿入手段の出力信号に所定の処理を施して、前記記録媒体に記録する記録手段とを備えることを特徴とする。
【発明の効果】
【００１４】
請求項１または２に記載の発明によれば、映像信号に挿入された複製制御信号が、１回だけの複製を許可するものであるときに、複製防止信号が映像信号の垂直帰線消去期間に挿入され、その複製防止信号が挿入された映像信号が、複製防止信号の影響を受けることなく、記録媒体に記録される。したがって、そのようにして記録された記録媒体を、複製制御信号の検出及びその検出結果に応じた処理を行わない他の再生装置で再生し、複製制御信号の検出及びその検出結果に応じた処理を行わない別の記録装置で記録しようとしたときに、複製防止信号が有効に作用し、正常な記録ができないようにすることができる。
【発明を実施するための最良の形態】
【００１５】
以下本発明の実施の形態を図面を参照して説明する。
（第１の実施形態）
図１は本発明の第１の実施形態にかかる映像信号記録装置であるＶＴＲの記録系要部の構成を示すブロック図である。図４に示す従来のＶＴＲと同一の機能を有する構成要素には、同一の参照符号が付されている。
【００１６】
図１に示すＶＴＲは、スイッチ３０と、ＡＧＣ・マクロビジョン信号検出回路１と、同期信号分離回路２，４，及び１２と、Ｙ／Ｃ分離回路３と、ＣＧＭＳ検出回路５ａと、ＣＧＭＳ付け替え回路６と、マクロビジョン信号付加回路７と、ローパスフィルタ８と、ＡＧＣ回路９と、エンファシス回路１０と、ＦＭ変調回路１１とを備えている。
【００１７】
ＡＧＣ・マクロビジョン信号検出回路１は、ＡＧＣ回路としての機能及びマクロビジョン信号検出回路としての機能を有し、映像信号に含まれる同期信号のレベルを一定にするとともに、映像信号に挿入されているマクロビジョン信号の検出を行う。検出結果を示す信号は、ＡＧＣ回路９に供給される。
【００１８】
ＡＧＣ・マクロビジョン信号検出回路１の出力信号は、Ｙ／Ｃ分離回路３に入力され、分離された輝度信号ＹがＣＧＭＳ検出回路５ａに入力される。ＣＧＭＳ検出回路５ａは、映像信号の垂直帰線消去期間内に挿入されるＣＧＭＳ信号を検出し、その検出結果をＣＧＭＳ付け替え回路６及びマクロビジョン信号付加回路７に供給する。ＣＧＭＳ付け替え回路６は、ＣＧＭＳ信号が１回のみコピー可能であることを示すときは、輝度信号Ｙに挿入されているＣＧＭＳ信号をコピー禁止に変更する。
【００１９】
マクロビジョン信号付加回路７は、ＣＧＭＳ信号が１回のみコピー可能であることを示すときは、輝度信号Ｙにマクロビジョン信号を付加し、それ以外の場合には、マクロビジョン信号の付加は行わない。マクロビジョン信号は、図３に示すような波形の信号である。図３において、Ｔ１、Ｔ３、Ｔ４、及びＴ５は、それぞれ４．７μｓ、２μｓ、３．７μｓ、及び１．８μｓである。ＩＲＥ（Institute for Radio Engineers）は、映像信号の振幅の単位である。ペデスタルを「０」としたとき、白ピークレベルを１００ＩＲＥとするように定義されている。
【００２０】
ＡＧＣ回路９は、ＡＧＣ・マクロビジョン信号検出回路１においてマクロビジョン信号が検出されないときは、マクロビジョン信号に影響されない動作を行う。すなわち、マクロビジョン信号に含まれる、幅が２μｓ以下の疑似同期信号には、キードパルスを発生させないようにして、入力される輝度信号Ｙのレベルを圧縮しないように動作する。これにより、ＡＧＣ・マクロビジョン信号検出回路１に供給される、マクロビジョン信号が付加されておらず、かつ１回のみコピー可能である信号が、マクロビジョン信号とともに磁気テープに記録される。そして、その記録済みテープを図６に示すようなＣＧＭＳ検出機能を持たないＶＴＲで再生し、ＣＧＭＳ検出機能を持たないＶＴＲで記録しようとすると、本実施形態のＶＴＲにより挿入されたマクロビジョン信号が有効に作用して、コピー防止機能を有効なものとすることができる。
【００２１】
一方、ＡＧＣ・マクロビジョン信号検出回路１においてマクロビジョン信号が検出されたときは、ＡＧＣ回路９は、マクロビジョン信号に含まれる、幅が２μｓ以下の疑似同期信号についてもキードパルスを発生させ、マクロビジョン信号に応じた輝度信号レベルの圧縮を行う。これにより、磁気テープ上に記録される信号を異常なもの（輝度信号レベルが異常に小さいもの）として、コピー防止機能を有効とすることができる。
【００２２】
以上のように本実施形態では、入力映像信号に挿入されたＣＧＭＳ信号が、１回だけのコピーを許可するものであるときに、マクロビジョン信号が輝度信号Ｙの垂直帰線消去期間に挿入され、そのマクロビジョン信号が挿入された輝度信号Ｙが、ＡＧＣ回路９においてマクロビジョン信号の影響を受けることなく、磁気テープに記録される。したがって、そのようにして記録された磁気テープを、ＣＧＭＳ信号の検出及びその検出結果に応じた処理を行わない他のＶＴＲで再生し、ＣＧＭＳ信号の検出及びその検出結果に応じた処理を行わない別のＶＴＲで記録しようとしたときに、マクロビジョン信号が有効に作用し、正常な記録ができないようにすることができる。
【００２３】
（第２の実施形態）
図２は本発明の第２の実施形態にかかるＶＴＲの記録系要部の構成を示すブロック図である。図４に示す従来のＶＴＲと同一の機能を有する構成要素には、同一の参照符号が付されている。図２に示す本実施形態のＶＴＲは、図４に示す従来のＶＴＲの構成要素に加えて、マクロビジョン信号付加制御信号生成回路１３と、スイッチ回路１５とを備えている。
【００２４】
マクロビジョン信号付加制御信号生成回路１３は、ＣＧＭＳ検出回路５において、ＣＧＭＳ信号が１回だけのコピーを許可するものであると検出されたときに、スイッチ回路１５の切換制御信号を生成する。スイッチ回路１５は、スイッチの切換により、ＡＧＣ回路１４の出力信号、シンクチップ（同期信号の先端部）に対応するＤＣ電圧（直流電圧）、ペデスタルに対応するＤＣ電圧、及び１００％白に対応するＤＣ電圧が出力可能に構成されている。マクロビジョン信号付加制御信号生成回路１３は、マクロビジョン信号を挿入するタイミングで、図３に示すマクロビジョン信号の波形が挿入されるようにスイッチ回路１５を切り換える切換制御信号を生成する。すなわち、スイッチ回路１５は、先ずシンクチップに対応するＤＣ電圧を時間Ｔ１だけ選択し、次いでペデスタルに対応するＤＣ電圧を時間Ｔ２だけ選択し、次いでシンクチップに対応するＤＣ電圧を時間Ｔ３だけ選択し、次いで１０％白に対応するＤＣ電圧を時間Ｔ４だけ選択し、次いでペデスタルに対応するＤＣ電圧を時間Ｔ５だけ選択し、以下同様にして、切り換える動作を行う。これにより、マクロビジョン信号を垂直帰線消去期間内に、所定のタイミングで挿入することができる。
【００２５】
なお、ＡＧＣ回路１４は、通常のキードＡＧＣ回路であり、マクロビジョン信号が挿入されている場合には、輝度信号のレベルを圧縮し、コピー防止効果を有効にする。
本実施形態においても、マクロビジョン信号が輝度信号Ｙの垂直帰線消去期間に挿入され、そのマクロビジョン信号が挿入された輝度信号Ｙが、マクロビジョン信号の影響を受けることなく、磁気テープに記録される。したがって、第１の実施形態のＶＴＲと同様の効果を得ることができる。
【００２６】
なお、本発明は上述したＶＴＲだけでなく、例えばディスク状の記録媒体に映像信号を記録する映像信号記録装置にも適用可能である。
【図面の簡単な説明】
【００２７】
【図１】本発明の第１の実施形態にかかるＶＴＲの記録系要部の構成を示すブロック図である。
【図２】本発明の第２の実施形態にかかるＶＴＲの記録系要部の構成を示すブロック図である。
【図３】マクロビジョン信号の波形を示す図である。
【図４】従来のＶＴＲの記録系要部の構成を示すブロック図である。
【図５】従来のＶＴＲの再生系要部の構成を示すブロック図である。
【図６】複製制御信号の検出を行わないＶＴＲの再生系要部及び記録系要部の構成を示すブロック図である。
【符号の説明】
【００２８】
１  ＡＧＣ・マクロビジョン信号検出回路
５ａ  ＣＧＭＳ検出回路（複製制御信号検出手段）
６  ＣＧＭＳ付け替え回路
７  マクロビジョン信号付加回路（複製防止信号挿入手段）
９  ＡＧＣ回路（自動利得制御手段）
１０  エンファシス回路（記録手段）
１１  ＦＭ変調回路（記録手段）
１３  マクロビジョン信号付加制御信号生成回路（制御信号生成手段）
１５  スイッチ回路（複製防止信号挿入手段）
【図１】
2005236467.tif 000003
【図２】
2005236467.tif 000004
【図３】
2005236467.tif 000005
【図４】
2005236467.tif 000006
【図５】
2005236467.tif 000007
【図６】
2005236467.tif 000008